(57)【要約】【課題】爪のヤスリ掛け作業の効率を向上させることができるニッパ型爪切りを提供する。【解決手段】ニッパ型爪切り２００を構成する第一部材２１０と第二部材２２０との間には第一付勢部材２１４及び第二付勢部材２２４が配置されており、第一部材２１０と第二部材２２０とをそれらが相互に開く状態に維持している。第一付勢部材２１４及び第二付勢部材２２４の表面には爪ヤスリ２１６、２２６が形成されている。ユーザーは本ニッパ型爪切りを爪切りと爪ヤスリの双方として使用することができる。【選択図】図１
0003154699.tif 000002
【実用新案登録請求の範囲】
【請求項１】
第一部材と第二部材とからなるニッパ型爪切りであって、
前記第一部材及び前記第二部材は各々の回動中心点において相互に回動自在に連結され、前記第一部材及び前記第二部材の各々には、前記回動中心点を中心として一方の側に把手部が、他方の側に切断部が形成されており、前記回動中心点を中心として前記把手部を回動させることにより前記切断部も回動させることができるニッパ型爪切りにおいて、
前記第一部材及び前記第二部材が相互に開く方向に付勢力を与える付勢部材を備えており、
前記付勢部材はその両端において第一領域と第二領域とを有しており、
前記付勢部材は、前記第一領域において前記第一部材と重なり合い、かつ、前記第一部材に取り付けられており、前記第二領域において前記第二部材と重なり合い、かつ、前記第二部材に取り付けられており、
前記第一領域及び前記第二領域の少なくとも何れか一方の表面には、少なくとも一部の領域において、爪ヤスリが形成されていることを特徴とするニッパ型爪切り。
【請求項２】
前記付勢部材は前記第一部材及び前記第二部材に対して着脱自在に取り付けられていることを特徴とする請求項１に記載のニッパ型爪切り。
【請求項３】
前記把手部の内側表面であって、前記付勢部材と重なり合っていない領域の少なくとも一部と、前記把手部の外側表面との少なくともいずれか一方には第二の爪ヤスリが形成されていることを特徴とする請求項１または２に記載のニッパ型爪切り。
【請求項４】
前記第二の爪ヤスリは、前記把手部の内側表面であって、前記付勢部材と重なり合っていない領域の少なくとも一部と、前記把手部の外側表面の少なくとも一部の領域との双方に形成されており、当該二つの第二の爪ヤスリの目の粗さは相互に異なるものであることを特徴とする請求項３に記載のニッパ型爪切り。
【請求項５】
第一部材と第二部材とからなるニッパ型爪切りであって、
前記第一部材及び前記第二部材は各々の回動中心点において相互に回動自在に連結され、前記第一部材及び前記第二部材の各々には、前記回動中心点を中心として一方の側に把手部が、他方の側に切断部が形成されており、前記回動中心点を中心として前記把手部を回動させることにより前記切断部も回動させることができるニッパ型爪切りにおいて、
前記把手部の内側表面の少なくとも一部の領域には第二の爪ヤスリが形成され、前記把手部の外側表面の少なくとも一部の領域には第三の爪ヤスリが形成されており、
前記第二の爪ヤスリと前記第三の爪ヤスリの目の粗さは相互に異なるものであるニッパ型爪切り。
【考案の詳細な説明】
【技術分野】
【０００１】
本考案は爪切り、特に、ニッパに形状が似ているニッパ型爪切りに関する。
【背景技術】
【０００２】
爪切りには用途に応じて数種類の形状が用意されている。例えば、ネイルショップにおいては、施術者が被施術者の前方に位置して作業を行うため、ニッパ型爪切りが使いやすい。
【０００３】
爪に装飾を施す場合、最初に、爪は適当な長さにカットされる。カットの後、仕上げとして、爪がヤスリで磨かれる。また、爪に装飾を施した後においても、装飾の仕上げとして、ヤスリが使用される。
【考案の概要】
【考案が解決しようとする課題】
【０００４】
従来は、爪切りとヤスリとは別体であった。このため、作業時の利便性に劣り、作業効率の低下を免れないため、爪切りとヤスリとを同時に使用可能なニッパ型爪切りが提案されている。
【０００５】
図４は、実用新案登録第３１２８２１５号において提案されているニッパ型爪切りの使用状態を示す斜視図である。
【０００６】
図４に示すように、このニッパ型爪切り１００は、切断部（刃の部分）を覆うキャップ１１０を備えており、キャップ１１０の表面には、板状の爪ヤスリ１２０が形成されている。
【０００７】
爪ヤスリ１２０を使用する際には、図４に示すように、キャップ１１０をニッパ型爪切り１００の切断部に被せた状態において、爪ヤスリ１２０で爪のヤスリ掛けを行う。
【０００８】
しかしながら、このニッパ型爪切り１００には次のような問題点があった。
【０００９】
キャップ１１０はプラスチック成型品でつくられているため、剛性は大きくない。このため、爪ヤスリ１２０をそれ単独で使用すると（すなわち、ニッパ型爪切り１００の切断部に被せないで使用すると）、爪ヤスリ１２０が形成されているキャップ１１０の表面が凹んでしまい、爪のヤスリ掛けを行い難くなることがあった。すなわち、ニッパ型爪切り１００においては、爪ヤスリ１２０を使用する場合には、必ずキャップ１１０をニッパ型爪切り１００の切断部に被せなければならないという第一の問題点があった。
【００１０】
また、キャップ１１０はニッパ型爪切り１００の切断部に対しては固定されていないため、爪のヤスリ掛けを行っている間に、キャップ１１０ひいては爪ヤスリ１２０がニッパ型爪切り１００の長手方向にずれてしまい、爪のヤスリ掛け作業に支障を来すという第二の問題点もあった。
【００１１】
本考案はこのような問題点に鑑みてなされたものであり、上記の二つの問題点を解消し、爪のヤスリ掛け作業の効率を向上させることができるニッパ型爪切りを提供することを目的とする。
【課題を解決するための手段】
【００１２】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１３】
上記の目的を達成するため、本考案は、第一部材（２１０）と第二部材（２２０）とからなるニッパ型爪切り（２００）であって、前記第一部材（２１０）及び前記第二部材（２２０）は各々の回動中心点（２１１、２２１）において相互に回動自在に連結され、前記第一部材（２１０）及び前記第二部材（２２０）の各々には、前記回動中心点（２１１、２２１）を中心として一方の側に把手部（２１２、２２２）が、他方の側に切断部（２１３、２２３）が形成されており、前記回動中心点（２１１、２２１）を中心として前記把手部（２１２、２２２）を回動させることにより前記切断部（２１３、２２３）も回動させることができるニッパ型爪切り（２００）において、前記第一部材（２１０）及び前記第二部材（２２０）が相互に開く方向に付勢力を与える付勢部材（２１４、２２４）を備えており、前記付勢部材（２１４、２２４）はその両端において第一領域（２１４Ａ）と第二領域（２２４Ａ）とを有しており、前記付勢部材（２１４、２２４）は、前記第一領域（２１４Ａ）において前記第一部材（２１０）と重なり合い、かつ、前記第一部材（２１０）に取り付けられており、前記第二領域（２２４Ａ）において前記第二部材（２２０）と重なり合い、かつ、前記第二部材（２２０）に取り付けられており、前記第一領域（２１４Ａ）及び前記第二領域（２２４Ａ）の少なくとも何れか一方の表面には、少なくとも一部の領域において、爪ヤスリ（２１６、２２６）が形成されていることを特徴とするニッパ型爪切り（２００）を提供する。
【００１４】
前記付勢部材（２１４、２２４）は前記第一部材（２１０）及び前記第二部材（２２０）に対して着脱自在に取り付けられていることが好ましい。
【００１５】
前記把手部（２１２、２２２）の内側表面であって、前記付勢部材（２１４、２２４）と重なり合っていない領域の少なくとも一部と、前記把手部（２１２、２２２）の外側表面との少なくともいずれか一方には第二の爪ヤスリ（３１０）が形成されていることが好ましい。
【００１６】
前記第二の爪ヤスリ（３１０）は、前記把手部（２１２、２２２）の内側表面であって、前記付勢部材（２１４、２２４）と重なり合っていない領域の少なくとも一部と、前記把手部（２１２、２２２）の外側表面の少なくとも一部の領域との双方に形成することが可能であり、この場合には、当該二つの第二の爪ヤスリ（３１０）の目の粗さは相互に異なるものであることが好ましい。
【００１７】
さらに、本考案は、第一部材（２１０）と第二部材（２２０）とからなるニッパ型爪切り（２００）であって、前記第一部材（２１０）及び前記第二部材（２２０）は各々の回動中心点（２１１、２２１）において相互に回動自在に連結され、前記第一部材（２１０）及び前記第二部材（２２０）の各々には、前記回動中心点（２１１、２２１）を中心として一方の側に把手部（２１２、２２２）が、他方の側に切断部（２１３、２２３）が形成されており、前記回動中心点（２１１、２２１）を中心として前記把手部（２１２、２２２）を回動させることにより前記切断部（２１３、２２３）も回動させることができるニッパ型爪切り（３００）において、前記把手部（２１２、２２２）の内側表面の少なくとも一部の領域には第二の爪ヤスリ（３１０）が形成され、前記把手部（２１２、２２２）の外側表面の少なくとも一部の領域には第三の爪ヤスリ（３１０）が形成されており、前記第二の爪ヤスリ（３１０）と前記第三の爪ヤスリ（３１０）の目の粗さは相互に異なるものであるニッパ型爪切り（３００）を提供する。
【考案の効果】
【００１８】
従来のニッパ型爪切り１００においては、キャップ１１０の剛性が大きくないため、爪ヤスリ１２０を単独で使用した場合（すなわち、ニッパ型爪切り１００の切断部に被せないで使用した場合）、爪ヤスリ１２０が形成されているキャップ１１０の表面が凹んでしまい、爪ヤスリ１２０のヤスリとしての性能が低下するという使用上の欠点があった。
【００１９】
これに対して、本考案に係るニッパ型爪切りにおいては、爪ヤスリは、把手部の内面上において、付勢部材の内面側表面に形成されている。このため、爪ヤスリの使用時においては、把手部が爪ヤスリの支持体となるため、爪ヤスリが撓むことがない。すなわち、本考案に係るニッパ型爪切りによれば、使用時における爪ヤスリの撓みを防止することができるため、爪のヤスリ掛け作業の効率を向上させることができる。
【００２０】
さらに、従来のニッパ型爪切り１００においては、爪のヤスリ掛けを行っている間に、キャップ１１０ひいては爪ヤスリ１２０がニッパ型爪切り１００の長手方向にずれてしまい、爪のヤスリ掛け作業に支障を来すという問題点があった。
【００２１】
この従来のニッパ型爪切り１００に対して、本考案に係るニッパ型爪切りにおいては、爪ヤスリは把手部に固定されているため、爪の使用時に爪ヤスリが何れかの方向にずれるということはない。このため、従来のニッパ型爪切り１００とは異なり、確実に爪のヤスリ掛け作業を行うことが可能である。
【図面の簡単な説明】
【００２２】
【図１】図１（Ａ）は本考案の第一の実施形態に係るニッパ型爪切りの半分のみの平面図、図１（Ｂ）は図１（Ａ）の矢印１Ｂの方向から見た場合のニッパ型爪切りの側面図、図１（Ｃ）は本考案の第一の実施形態に係るニッパ型爪切りの平面図である。
【図２】図２は本考案の第二の実施形態に係るニッパ型爪切りの部分的な斜視図である。
【図３】図３は本考案の第三の実施形態に係るニッパ型爪切りの部分的な斜視図である。
【図４】従来のニッパ型爪切りの使用状態を示す斜視図である。
【符号の説明】
【００２３】
２００  本考案の第一の実施形態に係るニッパ型爪切り
２１０  第一部材
２２０  第二部材
２１１、２２１  回動中心点
２１２、２２２  把手部
２１３、２２３  切断部
２１４  第一付勢部材
２１４Ａ、２２４Ａ  第一曲面部分
２１４Ｂ、２２４Ｂ  第二曲面部分
２１５、２２５  ビス
２２４  第二付勢部材
３００  本考案の第二の実施形態に係るニッパ型爪切り
３１０  第二の爪ヤスリ
４００  本考案の第三の実施形態に係るニッパ型爪切り
４１０  爪ヤスリ
【考案を実施するための形態】
【００２４】
（第一の実施形態）
図１（Ｃ）は本考案の第一の実施形態に係るニッパ型爪切り２００の平面図、図１（Ａ）はニッパ型爪切り２００の半分のみの平面図、図１（Ｂ）は図１（Ａ）の矢印１Ｂの方向から見た場合のニッパ型爪切り２００の側面図である。
【００２５】
本実施形態に係るニッパ型爪切り２００は第一部材２１０と第二部材２２０とから構成されている。
【００２６】
第一部材２１０と第二部材２２０とは各々の回動中心点２１１、２２１（図１（Ｂ）及び図１（Ｃ）参照）において相互に回動可能であるように連結されている。
【００２７】
第一部材２１０及び第二部材２２０の各々には、回動中心点２１１、２２１を中心として一方の側に把手部２１２、２２２が、他方の側に切断部２１３、２２３が形成されている。
【００２８】
回動中心点２１１、２２１を中心として把手部２１２、２２２を回動させることにより、切断部２１３、２２３をも回動させることができる。具体的には、把手部２１２、２２２を相互に近づく方向に回動させれば切断部２１３、２２３は開き、把手部２１２、２２２を相互に離れる方向に回動させれば切断部２１３、２２３は閉じる。
【００２９】
さらに、ニッパ型爪切り２００は第一付勢部材２１４と第二付勢部材２２４とからなる付勢部材を備えている。
【００３０】
第一部材２１０の把手部２１２の内面側にはプレート状の第一付勢部材２１４が取り付けられている。第一付勢部材２１４は断面が円弧形状をなしている。第一付勢部材２１４は第一領域としての第一曲面部分２１４Ａと、第一曲面部分２１４Ａ以外の領域である第二曲面部分２１４Ｂとを有しており、第一曲面部分２１４Ａは把手部２１２の内面に沿った曲面を有している。第一付勢部材２１４は第一領域すなわち第一曲面部分２１４Ａにおいて把手部２１２と重なり合い、ビス２１５を介して第一部材２１０の把手部２１２の内面側に取り付けられている。
【００３１】
第二曲面部分２１４Ｂは把手部２１２の内面から離れ、第二部材２２０に向かって円弧状に延びている。
【００３２】
同様に、第二部材２２０の把手部２２２の内面側にはプレート状の第二付勢部材２２４が取り付けられている。第二付勢部材２２４は第一付勢部材２１４と同一形状をなしている。すなわち、第二付勢部材２２４は第二領域としての第一曲面部分２２４Ａと、第二曲面部分２２４Ｂとを有しており、第一曲面部分２２４Ａは把手部２２２の内面に沿った曲面を有している。第二付勢部材２２４は第二領域すなわち第一曲面部分２２４Ａにおいて把手部２２２と重なり合い、ビス２２５を介して第二部材２２０の把手部２２２の内面側に取り付けられている。
【００３３】
第二曲面部分２２４Ｂは把手部２２２の内面から離れ、第一部材２１０に向かって円弧状に延びている。
【００３４】
第一付勢部材２１４と第二付勢部材２２４とはそれらの先端において、すなわち、第二曲面部分２１４Ｂと第二曲面部分２２４Ｂとの自由端において、相互に押圧力を作用し合うように相互に接触している。すなわち、第一付勢部材２１４は第二付勢部材２２４から押圧力を受け、それに対する反力を第二付勢部材２２４に対して作用させ、逆に、第二付勢部材２２４は第一付勢部材２１４から押圧力を受け、それに対する反力を第一付勢部材２１４に対して作用させている。
【００３５】
第一付勢部材２１４と第二付勢部材２２４とはそれらの先端がニッパ型爪切り２００の長手軸方向の中心線２５０上において交差している。
【００３６】
第一付勢部材２１４及び第二付勢部材２２４は、例えば、バネ鋼でつくられている。このため、第一付勢部材２１４及び第二付勢部材２２４は何れもそれらが接触する対象に対して付勢力を作用させる。
【００３７】
第一付勢部材２１４と第二付勢部材２２４とはそれらの先端において接触し合っているため、第一付勢部材２１４と第二付勢部材２２４とは相互に付勢力を作用し合っている。第一付勢部材２１４及び第二付勢部材２２４はそれぞれ第一曲面部分２１４Ａ及び２２４Ａにおいて把手部２１２、２２２の内面側に固定されているため、第一付勢部材２１４と第二付勢部材２２４とが相互に作用し合う付勢力は最終的には把手部２１２、２２２に対して作用する。その結果として、把手部２１２、２２２は、第一付勢部材２１４及び第二付勢部材２２４によって、相互に離れる方向（すなわち、切断部２１３、２２３が閉じる方向）に常に付勢される。すなわち、ニッパ型爪切り２００は、常態においては、図１（Ｃ）に示すような、把手部２１２、２２２が開いた状態を維持している。この状態（図１（Ｃ）に示す状態）から把手部２１２、２２２を握り込むことにより、それまで相互に開いていた切断部２１３、２２３を閉じることができ、切断対象物である爪をカットすることができる。
【００３８】
また、図１（Ｂ）に示すように、第一付勢部材２１４及び第二付勢部材２２４の内面側表面、具体的には、第一領域としての第一曲面部分２１４Ａ及び第二領域としての第一曲面部分２２４Ａにおける第一付勢部材２１４及び第二付勢部材２２４の表面にはそれぞれ爪ヤスリ２１６、２２６が形成されている。
【００３９】
以上のような構造を有する本実施形態に係るニッパ型爪切り２００は以下のような効果を奏する。
【００４０】
従来のニッパ型爪切り１００においては、キャップ１１０の剛性が大きくないため、爪ヤスリ１２０をそれ単独で使用した場合（すなわち、ニッパ型爪切り１００の切断部に被せないで使用した場合）、爪ヤスリ１２０が形成されているキャップ１１０の表面が凹んでしまうという使用上の欠点があった。
【００４１】
この従来のニッパ型爪切り１００に対して、本実施形態に係るニッパ型爪切り２００においては、爪ヤスリ２１６、２２６は、把手部２１２、２２２の内面上において、第一付勢部材２１４及び第二付勢部材２２４の内面側表面（第一曲面部分２１４Ａ及び第一曲面部分２２４Ａに対応する部分）に形成されている。このため、爪ヤスリ２１６、２２６の使用時においては、把手部２１２、２２２が爪ヤスリ２１６、２２６の支持体となるため、爪ヤスリ２１６、２２６が撓むことがない。このように、本実施形態に係るニッパ型爪切り２００によれば、使用時における爪ヤスリ２１６、２２６の撓みを防止することができるため、爪ヤスリ２１６、２２６を用いて爪のヤスリ掛けを行う作業の効率を向上させることができる。
【００４２】
さらに、従来のニッパ型爪切り１００においては、爪のヤスリ掛けを行っている間に、キャップ１１０ひいては爪ヤスリ１２０がニッパ型爪切り１００の長手方向にずれてしまい、爪のヤスリ掛け作業に支障を来すという問題点があった。
【００４３】
この従来のニッパ型爪切り１００に対して、本実施形態に係るニッパ型爪切り２００においては、爪ヤスリ２１６、２２６は、ビス２１５、２２５を介して把手部２１２、２２２の内面上に固定されているため、爪ヤスリ２１６、２２６の使用時に爪ヤスリ２１６、２２６が何れかの方向にずれるということはない。このため、従来のニッパ型爪切り１００とは異なり、確実に爪のヤスリ掛け作業を行うことが可能である。
【００４４】
本実施形態に係るニッパ型爪切り２００は上記の構造に限定されるものでなく、種々の改変が可能である。
【００４５】
本実施形態に係るニッパ型爪切り２００においては、把手部２１２、２２２の双方に爪ヤスリ２１６、２２６が設けられているが、必要に応じて、爪ヤスリ２１６、２２６の何れか一方のみを設けることも可能である。
【００４６】
また、爪ヤスリ２１６、２２６は第一領域または第二領域（すなわち、第一曲面部分２１４Ａ及び第一曲面部分２２４Ａ）の全域に形成することは必ずしも必要ではなく、第一領域または第二領域の一部の領域にのみ形成することも可能である。
【００４７】
さらに、本実施形態に係るニッパ型爪切り２００においては、付勢部材は第一付勢部材２１４及び第二付勢部材２２４とから構成されているが、この付勢部材に代えて、単一部材であるＵ字型（図１（Ｃ）で見た場合には、逆Ｕ字型になる）の付勢部材を用いることも可能である。
【００４８】
（第二の実施形態）
図２は本考案の第二の実施形態に係るニッパ型爪切り３００の部分的な斜視図である。
【００４９】
本実施形態に係るニッパ型爪切り３００においては、図２に示すように、第二部材２２０の把手部２２２の内面側（第一部材２１０に対向する側）であって、かつ、第二付勢部材２２４で覆われていない領域に第二の爪ヤスリ３１０が形成されている。
【００５０】
このように、爪ヤスリ２２６の他に第二の爪ヤスリ３１０を形成することにより、爪ヤスリ２２６及び第二の爪ヤスリ３１０の何れか便利な方を使用することが可能になり、爪のヤスリ掛け作業の効率を向上させることができる。
【００５１】
なお、第二の爪ヤスリ３１０は第二部材２２０の把手部２２２の内面側のみならず、第二部材２２０の把手部２２２の外面側に設けることも可能である。
【００５２】
さらには、第二の爪ヤスリ３１０は第一部材２１０の把手部２１２の内面側と外面側のいずれか一方または両方に設けることも可能である。
【００５３】
なお、例えば、第二部材２２０の把手部２２２の内面側及び外面側の双方に第二の爪ヤスリ３１０を設ける場合には、内面側の第二の爪ヤスリ３１０の目の粗さと外面側の第二の爪ヤスリ３１０の目の粗さと異なるものにすることが可能である。例えば、一方を効率よく削るための荒い目、他方を仕上げ用のための細かい目にすることができる。
【００５４】
本実施形態のように、第一部材２１０の把手部２１２及び第二部材２２０の把手部２２２の双方に第二の爪ヤスリ３１０を形成する場合には、必要に応じて、第一付勢部材２１４及び第二付勢部材２２４とからなる付勢部材を取り外した状態でニッパ型爪切り３００を使用することも可能である。
【００５５】
（第三の実施形態）
第一の実施形態に係るニッパ型爪切り２００においては、第一付勢部材２１４及び第二付勢部材２２４はビス２１５、２２５を介して把手部２１２、２２２の内面に対して固定されているが、第一付勢部材２１４及び第二付勢部材２２４を把手部２１２、２２２（ひいては第一部材２１０及び第二部材２２０）に対して固定することは必ずしも必要ではない。
【００５６】
例えば、ビス２１５、２２５に代えて、ネジを用いることにより、第一付勢部材２１４及び第二付勢部材２２４を把手部２１２、２２２に対して着脱自在に取り付けるようにすることも可能である。
【００５７】
以下、第三の実施形態として、第一付勢部材２１４及び第二付勢部材２２４を把手部２１２、２２２に対して着脱自在に取り付ける構造の一例を示す。
【００５８】
図３は本考案の第三の実施形態に係るニッパ型爪切り４００の部分的な斜視図である。
【００５９】
図３に示すように、第一部材２１０の把手部２１２及び第二部材２２０の把手部２２２のそれぞれの内面側にはポケット部４１０が形成されている。ポケット部４１０は第一付勢部材２１４及び第二付勢部材２２４を内部に挿入可能な空間を有しており、切断部２１３、２２３に向かう方向においてのみ開口している。この開口部からポケット部４１０の内部に第一付勢部材２１４及び第二付勢部材２２４を挿入することができる。
【００６０】
さらに、本実施形態に係るニッパ型爪切り４００においては、第一付勢部材２１４及び第二付勢部材２２４の内面側表面に代えて、ポケット部４１０の表面に爪ヤスリ４２０が形成されている。
【００６１】
本実施形態に係るニッパ型爪切り４００においては、第一付勢部材２１４及び第二付勢部材２２４はポケット部４１０に挿入する動作のみにより、第一付勢部材２１４及び第二付勢部材２２４を把手部２１２、２２２に対して固定することが可能である。また、第一付勢部材２１４及び第二付勢部材２２４をポケット部４１０から引き抜くことにより、第一付勢部材２１４及び第二付勢部材２２４を容易に取り出すことも可能である。
【００６２】
さらに、爪ヤスリ４２０はポケット部４１０の表面に形成されているため、爪ヤスリ４２０は把手部２１２、２２２に対して不動であり、従来のニッパ型爪切り１００のように、爪ヤスリ１２０の使用時に爪ヤスリがずれてしまうこともない。
【図１】
0003154699.tif 000003
【図２】
0003154699.tif 000004
【図３】
0003154699.tif 000005
【図４】
0003154699.tif 000006